(57)【要約】【課題】  断続装置の組付け作業性を向上させることができる断続装置を提供する。【解決手段】  ハウジング３及びシャフトハウジング４（一対の回転部材）と、一対の回転部材３、４を断続する断続機構５とを収容するケーシング２とを備えた断続装置１であって、断続機構５は、カム機構７を備えている。カム機構７は、ケーシング２に固定された固定部材８と、駆動源６に連結され固定部材８の一側に配置されたカム部材９とを備え、固定部材８には、固定部材８の回転方向に掛かる力を緩衝する緩衝部材１０が係合されている。この緩衝部材１０の取付口１１をケーシング２の外部に設けた。【選択図】  図１
2006250267.tif 000002
【特許請求の範囲】
【請求項１】
ケーシングと、ケーシングに収容された一対の回転部材と、ケーシングに収容され一対の回転部材を断続する断続機構とを備えた断続装置であって、
前記断続機構は、回転駆動力を発生させる駆動源と、駆動源からの駆動力によって作動するカム機構とを備え、該カム機構は、前記ケーシングに固定された固定部材と、前記駆動源に連結され固定部材の一側に配置されたカム部材とを備え、
前記固定部材には、固定部材の回転方向に掛かる力を緩衝する緩衝部材が係合され、該緩衝部材の取付口が前記ケーシングの外部に設けられていることを特徴とする断続装置。
【請求項２】
請求項１記載の断続装置であって、
前記ケーシングの内部には、前記断続機構を潤滑する潤滑油が封入され、該潤滑油の注入口と排出口とが前記ケーシングの外部に設けられていることを特徴とする断続装置。
【請求項３】
請求項２記載の断続装置であって、
前記緩衝部材の取付口と、前記潤滑油の注入口とが一体に設けられていることを特徴とする断続装置。
【請求項４】
請求項２記載の断続装置であって、
前記緩衝部材の取付口と、前記潤滑油の排出口とが一体に設けられていることを特徴とする断続装置。
【請求項５】
請求項１〜４記載の断続装置であって、
前記緩衝部材は、取付口を塞ぐ蓋体と一体に設けられた支持部に関連して配置されるスプリングからなることを特徴とする断続装置。
【発明の詳細な説明】
【技術分野】
【０００１】
本発明は、一対の回転部材を断続する断続機構を収容したケーシングを備えた断続装置に関する。
【背景技術】
【０００２】
特許文献１には、一対の回転部材を断続する断続機構を備えた断続装置が記載されている。この断続装置では、断続クラッチと、断続クラッチを作動させるカム機構を備えている。このカム機構は、回転方向には移動を規制されて軸方向には移動自在にケーシングに配置された固定部材と、電動機に連結されて軸方向移動自在に配置されたカム部材と、固定部材とカム部材との間に配置されたボールとで構成されている。
【０００３】
この断続装置では、電動機によってカム部材が回転駆動されると、カム部材と固定部材との間に差回転が生じ、カムスラスト力を発生させる。このカムスラスト力によって断続クラッチを作動させて一対の回転部材を断続する。
【特許文献１】特開２００３−２９４１１０号公報
【発明の開示】
【発明が解決しようとする課題】
【０００４】
上記のような断続装置では、カム機構のカム部材と固定部材との間に差回転を生じさせるために、固定部材の回転方向への回動を規制する必要がある。そのため、この固定部材に、固定部材の回転方向に掛かる力を緩衝する緩衝部材を設けている。
【０００５】
しかしながら、このような緩衝部材は、断続装置を構成する部材をケーシングに収容する際に、ケーシング内に組付けなければならず、ケーシングに収容した後、緩衝部材を交換などによって取り外す場合、その作業が非常に繁雑なものであった。
【０００６】
そこで、この発明は、断続装置の組付け作業性を向上させることができる断続装置の提供を目的としている。
【課題を解決するための手段】
【０００７】
請求項１の発明は、ケーシングと、ケーシングに収容された一対の回転部材と、ケーシングに収容され一対の回転部材を断続する断続機構とを備えた断続装置であって、前記断続機構は、回転駆動力を発生させる駆動源と、駆動源からの駆動力によって作動するカム機構とを備え、該カム機構は、前記ケーシングに固定された固定部材と、前記駆動源に連結され固定部材の一側に配置されたカム部材とを備え、前記固定部材には、固定部材の回転方向に掛かる力を緩衝する緩衝部材が係合され、該緩衝部材の取付口が前記ケーシングの外部に設けられていることを特徴とする。
【０００８】
請求項２の発明は、請求項１記載の断続装置であって、前記ケーシングの内部には、前記断続機構を潤滑する潤滑油が封入され、該潤滑油の注入口と排出口とが前記ケーシングの外部に設けられていることを特徴とする。
【０００９】
請求項３の発明は、請求項２記載の断続装置であって、前記緩衝部材の取付口と、前記潤滑油の注入口とが一体に設けられていることを特徴とする。
【００１０】
請求項４の発明は、請求項２記載の断続装置であって、前記緩衝部材の取付口と、前記潤滑油の排出口とが一体に設けられていることを特徴とする。
【００１１】
請求項５の発明は、請求項１〜４記載の断続装置であって、前記緩衝部材は、取付口を塞ぐ蓋体と一体に設けられた支持部に関連して配置されるスプリングからなることを特徴とする。
【発明の効果】
【００１２】
請求項１の断続装置では、緩衝部材の取付口がケーシングの外部に設けられているので、断続装置を構成する各部材をケーシングに収容した後でも、緩衝部材をケーシングに収容することがき、組付け作業性を向上させることができる。
【００１３】
請求項２の断続装置では、潤滑油の注入口と排出口とがケーシングの外部に設けられているので、潤滑油の注入や交換などの作業を簡単に行うことができ、作業性を向上させることができる。
【００１４】
請求項３の断続装置では、緩衝部材の取付口と、潤滑油の注入口とが一体に設けられているので、１つの口で緩衝部材の取付と潤滑油の注入とを行うことができ、ケーシングの外部の省スペース化に貢献することができる。
【００１５】
請求項４の断続装置では、緩衝部材の取付口と、潤滑油の排出口とが一体に設けられているので、１つの口で緩衝部材の取付と潤滑油の排出とを行うことができ、ケーシングの外部の省スペース化に貢献することができる。
【００１６】
請求項５の断続装置では、緩衝部材が取付口を塞ぐ蓋体と一体に設けられた支持部に関連して配置されるスプリングからなるので、固定部材の回転方向に掛かる力をスプリングの弾性によって吸収することができ、確実に固定部材の回転方向に掛かる力を緩衝することができる。
【発明を実施するための最良の形態】
【００１７】
以下、この発明の一実施形態を図面に基づいて説明する。
【００１８】
（第１実施形態）
図１〜図３を用いて第１実施形態について説明する。
【００１９】
本実施形態の断続装置１は、ケーシング２と、ケーシング２に収容されたハウジング３及びシャフトハウジング４（一対の回転部材）と、ケーシング２に収容され一対の回転部材３、４を断続する断続機構５とを備えている。断続機構５は、回転駆動力を発生させる駆動源６と、駆動源６からの駆動力によって作動するカム機構７とを備えている。カム機構７は、ケーシング２に固定された固定部材８と、駆動源６に連結され固定部材８の一側に配置されたカム部材９とを備えている。そして、固定部材８には、固定部材８の回転方向に掛かる力を緩衝する緩衝部材１０が係合され、この緩衝部材１０の取付口１１がケーシング２の外部に設けられている。
【００２０】
ケーシング２は、ケーシング本体１２とケーシングカバー１３とから構成され、ケーシング本体１２にケーシングカバー１３がボルト１４で固定されている。ケーシング２の内部には、ベアリング１５を介してハウジング３が回転自在に支承されている。
【００２１】
ハウジング３は、ハウジング本体１６とハウジングカバー１７とから構成され、ハウジング本体１６にハウジングカバー１７がボルト１８で固定されている。ハウジング３は、図示しない駆動源と連結されており、駆動源の駆動力によって回転駆動される。また、ハウジング３には、ボス部１９が形成されている。このボス部１９の外周でベアリング１５を介してケーシング２にハウジング３が支承されている。ボス部１９の内周には、シャフト２０が挿通されている。このシャフト２０にシャフトハウジング４が連結されている。
【００２２】
シャフトハウジング４は、ハウジング３の内部に回転自在に収容されている。また、シャフトハウジング４は、連結部２１を介してシャフト２０と連結されている。このシャフト２０は、スプライン部２２で外部回転部材２３のボス部２４の内周にスプライン連結されている。また、外部回転部材２３のボス部２４の外周とケーシング２の内周との間には、シール部材２５が配置されている。そして、シャフトハウジング４とハウジング３が断続機構５によって断続される。
【００２３】
断続機構５は、回転駆動力を発生させる駆動源６と、駆動源６からの駆動力によって作動するカム機構７と、カム機構７のスラスト力を断続クラッチ２７へ伝達する押圧部材２６と、押圧部材２６の軸方向への移動により締結される断続クラッチ２７とを備え、ハウジング３とシャフトハウジング４とを断続する。
【００２４】
カム機構７は、ケーシング２に固定された固定部材８と、駆動源６に連結され固定部材８の一側に配置されたカム部材９と、固定部材８とカム部材９との間に配置されたカムボール２８とを備えている。
【００２５】
固定部材８は、ケーシング２の凹部２９に圧入され、ケーシング２に固定されている。この固定部材８は、環状で内径側にハウジング３のボス部１９が貫通する孔部を有している。また、固定部材８の軸方向内側の面には、カム面３０が形成されている。このカム面３０とカム部材９の軸方向外側の面に形成されたカム面３１との間に、カムボール２８が配置されている。
【００２６】
カム部材９は、ハウジング３のボス部１９の外周に軸方向移動自在に嵌合されている。このカム部材９は、環状で内径側にハウジング３のボス部１９が貫通する孔部を有している。また、カム部材９の外径側には、ギヤ部３２が形成されている。このギヤ部３２は、駆動源６側の駆動ギヤ３３と噛み合っている。
【００２７】
ここで、駆動源６は、ギヤ部３４を有した駆動軸３５と連結している。この駆動軸３５のギヤ部３４には、大径ギヤ部３６が噛み合っている。この大径ギヤ部３６は、回転軸３７に一体に形成されている。また、この回転軸３７には、カム部材９のギヤ部３２と噛み合う駆動ギヤ部３３が一体に形成されている。この駆動ギヤ部３３が駆動源６からの回転駆動力によって回転されると、駆動ギヤ部３３と噛み合うカム部材９が回転駆動される。
【００２８】
そして、このカム部材９の回転により、ケーシング２に固定された固定部材８とカム部材９との間に差回転が生じ、カム機構７でカムスラスト力が発生する。このカムスラスト力により、カム部材９が軸方向内側に移動され、カム部材９の軸方向内側に形成された凹部３８に配置された押圧部材２６を押圧する。
【００２９】
押圧部材２６は、ハウジング３のボス部１９の外周に軸方向移動自在に嵌合され、カム部材９の凹部３８の内部に配置されている。この押圧部材２６は、支持部３９と押圧部４０とで構成されている。支持部３９は、環状で内径側にハウジング３のボス部１９が貫通する孔部を有している。また、支持部３９の外径側の軸方向内側の面であって、ハウジング３と押圧部材２６との間には、皿バネ４１が配置されている。この皿バネ４１は、押圧部材２６を軸方向外側に押圧している。押圧部４０は、支持部３９の軸方向内側の面に支持部３９と一体に複数突設されている。この押圧部４０は、カム機構７のカムスラスト力の発生により、カム部材９が軸方向内側に移動して押圧部材２６の支持部３９を押圧することによって、軸方向内側に移動されて断続クラッチ２７を押圧する。
【００３０】
断続クラッチ２７は、ハウジング３の内周にスプライン連結された複数の外側摩擦板４２と、シャフトハウジング４の外周にスプライン連結された複数の内側摩擦板４３とで構成されている。また、複数の外側、内側摩擦板４２、４３の軸方向両側には、押圧板４４、４５がハウジング３の内周に支持されている。軸方向外側の押圧板４４が、押圧部材２６の押圧部４０によって押圧されると、押圧板４４が軸方向内側に移動して断続クラッチ２７を締結させる。そして、断続クラッチ２７が締結されると、ハウジング３とシャフトハウジング４とが接続される。
【００３１】
このようなカム機構７を有した断続装置１では、断続クラッチ２７を作動させるためにカム機構７でカムスラスト力を発生させなければならない。そのためには、カム機構７のカム部材９と固定部材８との間に差回転を生じさせる必要があり、固定部材８をケーシング２に固定させる必要がある。そこで、固定部材８の回転方向に掛かる力を緩衝するために、緩衝部材１０を固定部材８に係合している。
【００３２】
図１、２に示すように、緩衝部材１０は、ケーシング２に設けられた孔部４７に配置され、固定部材８に突設された係合片４６に係合している。このケーシング２の孔部４７の底部には、固定部材８の係合片４６が配置されている。また、緩衝部材１０は、取付口１１を塞ぐ蓋体４８と、蓋体４８と一体に設けられた支持部４９と、支持部４９から突設された突起部５０の外周に一端側が配置されるスプリング５１とで構成されている。このスプリング５１が固定部材８の係合片４６に係合することによって、固定部材の回転方向に掛かる力を、スプリング５１の弾性によって緩衝している。このような緩衝部材１０は、ケーシング２の外部に設けられた取付口１１から取り付けられている。
【００３３】
図３に示すように、ケーシング２の外部には、緩衝部材１０の取付口１１が設けられている。また、ケーシング２の内部には、断続機構５を潤滑する潤滑油が封入されている。この潤滑油を注入、排出する注入口５２、排出口５３が、ハウジング３の外部に設けられている。
【００３４】
なお、この注入口５２の下端縁の位置は、潤滑油が十分に断続機構５を潤滑できる油面の高さに設定され、排出口５３の位置は、潤滑油を十分に排出できる高さに設定されている。
【００３５】
このような断続装置１では、緩衝部材１０の取付口１１がケーシング２の外部に設けられているので、断続機構５等の断続装置１を構成する各部材をケーシング２に収容した後でも、緩衝部材１０をケーシング２に容易に収容することがき、組付け作業性を向上させることができる。
【００３６】
また、ケーシング２の内部に封入される断続機構５を潤滑する潤滑油を注入及び排出する注入口５２と排出口５３とがケーシングの外部に設けられているので、潤滑油の注入や交換などの作業を簡単に行うことができ、作業性を向上させることができる。
【００３７】
さらに、緩衝部材１０が取付口１１を塞ぐ蓋体４８と一体に設けられた支持部４９に関連して配置されるスプリング５１からなるので、固定部材８の回転方向に掛かる力をスプリング５１の弾性によって吸収することができ、確実に固定部材８の回転方向に掛かる力を緩衝することができる。
【００３８】
（第２実施形態）
図４を用いて第２実施形態について説明する。
【００３９】
本実施形態の断続装置１０１は、緩衝部材１０の取付口と、潤滑油の注入口とが一体にケーシング１０２の外部に設けられている。なお、他の構成については、図に示す第１実施形態の断続装置１と同構成なので、同様の符号を記し、説明は省略するが、同様な構成によって得られる効果も同様である。
【００４０】
図４に示すように、ケーシング１０２の外部には、緩衝部材１０の取付及び潤滑油の注入の機能を有する口１５４が形成されている。この口１５４の下端縁の位置は、潤滑油が十分に断続機構を潤滑できる油面の高さに設定されている。また、ケーシング１０２には、口１５４と連通した緩衝部材１０を収容する孔部１４７が形成されている。この孔部１４７の口１５４側には、ケーシング１０２の内部と連通する孔１５５が形成されている。この孔１５５の上端縁の位置は、口１５４の下端縁の位置と略同等に設定されている。そして、この孔１５５からケーシング１０２の内部に潤滑油が注入される。また、孔部１４７の底部には、固定部材８の係合片４６が配置され、緩衝部材１０と係合している。
【００４１】
このような断続装置１０１では、緩衝部材１０の取付口と、潤滑油の注入口とが一体に口１５４として設けられているので、１つの口１５４で緩衝部材１０の取付と潤滑油の注入とを行うことができ、ケーシング１０２の外部の省スペース化に貢献することができる。
【００４２】
（第３実施形態）
図５を用いて第３実施形態について説明する。
【００４３】
本実施形態の断続装置２０１は、緩衝部材１０の取付口と、潤滑油の排出口とが一体にケーシング２０２の外部に設けられている。なお、他の構成については、図１に示す第１実施形態の断続装置１と同構成なので、同様の符号を記し、説明は省略するが、同様な構成によって得られる効果も同様である。
【００４４】
図５に示すように、ケーシング２０２の外部には、緩衝部材１０の取付及び潤滑油の排出の機能を有する口２５６が形成されている。また、ケーシング２０２には、口２５６と連通した緩衝部材１０を収容する孔部２４７が形成されている。この孔部２４７の口２５６側には、ケーシング２０２の内部と連通する孔２５７が形成されている。そして、この孔２５７からケーシング２０２の外部に潤滑油が排出される。また、孔部２４７の底部には、固定部材８の係合片４６が配置され、緩衝部材１０と係合している。
【００４５】
このような断続装置２０１では、緩衝部材１０の取付口と、潤滑油の排出口とが一体に口２５６として設けられているので、１つの口２５６で緩衝部材１０の取付と潤滑油の排出とを行うことができ、ケーシング２０２の外部の省スペース化に貢献することができる。
【産業上の利用可能性】
【００４６】
また、本願では、一対の回転部材を断続する断続機構を収容したケーシングの外部に緩衝部材の取付口を設けた断続装置としたが、緩衝部材が各部材と共にケーシングに収容される一般機械においても本願の断続装置の構成を適用することができる。
【図面の簡単な説明】
【００４７】
【図１】断続装置１の断面図である。
【図２】緩衝部材１０の拡大断面図である。
【図３】断続装置１の側面図である。
【図４】断続装置１０１の側面図及び緩衝部材１０の断面図である。
【図５】断続装置２０１の側面図及び緩衝部材１０の断面図である。
【符号の説明】
【００４８】
１、１０１、２０１…断続装置
２、１０２、２０２…ケーシング
３…ハウジング
４…シャフトハウジング
５…断続機構
６…駆動源
７…カム機構
８…固定部材
９…カム部材
１０…緩衝部材
１１…取付口
２０…シャフト
２６…押圧部材
２７…断続クラッチ
２８…カムボール
４６…係合片
４７、１４７、２４７…孔部
４８…蓋体
４９…支持部
５０…突起部
５１…スプリング
５２…注入口
５３…排出口
１５４…口
１５５…孔
２５６…口
２５７…孔
【図１】
2006250267.tif 000003
【図２】
2006250267.tif 000004
【図３】
2006250267.tif 000005
【図４】
2006250267.tif 000006
【図５】
2006250267.tif 000007